(57)【要約】【目的】各構成部材をコスト安で製造でき、しかもフィルムの張設作業が行い易いフィルム固定装置を提供する。【構成】深い位置ほど幅が広がっている断面末広がり状凹部１１を上面に設けたフィルム支持部を形成した骨材１０で温室等を構成し、この骨材１０上にフィルムＦを載置した後、平面状基材２１下面から下方に設けた２本の脚部２２の下部に外側に膨出する形状の押圧部２３を有する断面形状の固定部材２０を、押圧部２３を内側に寄せるように押し込む。骨材１０の凹部１１は底の方が広くなっているので、凹部１１に押し込まれた固定部材脚部下部の押圧部２３は、弾性復元して凹部１１の内壁に当接する形態となり、フィルムＦを強固に保持・固定する。【選択図】        図６
2004267172.tif 000002
【特許請求の範囲】
【請求項１】
骨材（１０）の上面に、深い位置ほど幅が広がっている断面末広がり状凹部（１１）を、骨材上面との境に湾曲部（１２）を付けて設けてフィルム支持部（１３）を構成するとともに、平面状基材（２１）、その下面に下方に向けて設けた２本の脚部（２２）、及び該脚部（２２）の下部に外側に膨出する形状に設けた押圧部（２３）を有する断面形状の固定部材（２０）を備え、該固定部材（２０）と前記フィルム支持部（１３）が、固定部材（２０）の脚部（２２）下部に設けた２つの押圧部（２３）間距離が前記骨材のフィルム支持部（１３）に設けた凹部（１１）の最狭部距離よりも大きく、脚部（２２）下部の押圧部（２３）が前記凹部（１１）の内側面に接触する位置関係にあることを特徴とするフィルム固定装置。
【請求項２】
骨材（１０）の上面に、深い位置ほど幅が広がっている断面末広がり状凹部（１１）を、骨材上面との境に湾曲部（１２）を付けて設けてフィルム支持部（１３）を構成するとともに、平面状基材（３１）、その下面から下方に末広がり状に設けた２本の脚部（３２）、両脚部（３２）の先端を結び上方に湾曲する連結部（３３）、及び前記脚部（３２）下部の外側面に外側に膨出する形状に設けた押圧部（３４）を有する断面形状の固定部材（３０）を備え、該固定部材（３０）と前記フィルム支持部（１３）が、固定部材（３０）の脚部（３２）下部に設けた２つの押圧部（３４）間距離が骨材のフィルム支持部（１３）に設けた凹部（１１）の最狭部距離よりも大きく、脚部（３２）下部の押圧部（３４）が前記凹部（１１）の内側面に接触する位置関係にあることを特徴とするフィルム固定装置。
【発明の詳細な説明】
【０００１】
【産業上の利用分野】
本発明は、農業用・園芸用等の温室に張設したフィルムを固定する装置に関する。
【０００２】
【従来の技術】
フィルムを張設した温室にあっては、フィルムに皺が形成されないようにフィルムを張設する必要がある。
このため、従来、図１，２に示すように、上面の開口部を幅狭にしたシート止着溝１ａを有する長尺支持フレーム１のシート止着溝１ａに、台形波状に屈曲加工された弾性的な係止線条２を、シート３を押し込んだ状態で嵌合させている。また、シート止め材１と係止線条２の間に中レール４ａ，４ｂを介在させ、中レール４ａ，４ｂの全面をフィルムに当接させる態様をとって係止線条２を嵌合させ、フィルムの止着を強固にしている（特開２００１−３０９７２６号公報，特開２００２−１４２５７５号公報参照）。
【０００３】
特開平６−１４６５６号公報では、図３に示すように、固定部材５と支持部材６との間にフィルム３を挟持し、次いで固定部材５の上から固定用ビス７を、フィルム４を貫通してハウス骨材８まで打ち込み、固定部材５と支持部材６とを固定することにより、フィルムを固定することが記載されている。さらに特公平７−１２１１８２号公報では、固定部材５と支持部材６の断面形状を、フィルムの押さえ込み箇所９を増やすように設計変更することにより、緊張力を高めて張設し、皺の発生を防いでいる。
【０００４】
【発明が解決しようとする課題】
前者の特開２００１−３０９７２６号公報，特開２００２−１４２５７５号公報に記載されたような中レール４ａ，４ｂを使用する技術では、一方の中間レールの底部フレームを他方の中間レールのガイド溝に嵌合させるように、また、中間レールの側面を長尺支持フレーム１のシート止着溝１ａ内面に当接させるようにしている。このため部品点数が多くなっている。また、長尺支持フレーム１内への中レール４ａ，４ｂの嵌合作業を必要とするのでフィルムの張設作業が煩雑になり、施工性が悪くなる。このようなことから、全体としてコスト高となる。
【０００５】
後者の特開平６−１４６５６号公報、特公平７−１２１１８２号公報に記載されたような技術では、固定部材５の上から固定用ビス７を、フィルム４を貫通こしてハウス骨材３まで打ち込み、固定部材５と支持部材６とを固定することにより、フィルム４を固定している。このような態様では、固定部材５そのものが複雑形状になるばかりでなく、固定用ビスを別途必要とするためコスト高になる。また、ビス打ち作業も必要で、作業が煩雑化する。さらに、フィルム４は固定用ビス７で孔が空けられているので、ビス孔から漏水する可能性がある。さらにまた、この孔がビスによるものであるため、切込みが生成されており、風雨によるフィルムの振動等の僅かな張力変化が累積して応力集中を起こし、フィルムが破断しやすいという欠点がある。
【０００６】
さらに、上記いずれの態様の固定装置にあっても、骨材とは別に支持部材１，６を準備し、この支持部材１，６をビス等で骨材に固定する必要がある。このため、さらに部品数が多くなるとともに、取り付け作業が煩雑化し、全体としてのコスト上昇につながっている。
本発明は、このような問題を解消すべく案出されたものであり、各構成部材をコスト安で製造でき、しかもフィルムの張設作業が行い易いフィルム固定装置を提供することを目的とする。
【０００７】
【課題を解決するための手段】
本発明のフィルムの固定装置は、その目的を達成するため、骨材１０の上面に、深い位置ほど幅が広がっている断面末広がり状凹部１１を、骨材上面との境に湾曲部１２を付けて設けてフィルム支持部１３を構成するとともに、平面状基材２１、その下面に設けた２本の脚部２２、及び該脚部２２の下部に外側に膨出する形状の押圧部２３を有する断面形状の固定部材２０を備え、該固定部材２０と前記フィルム支持部１３が、固定部材２０の脚部２２下部に設けた２つの押圧部２３間距離を前記骨材のフィルム支持部１３に設けた凹部１１の最狭部距離よりも大きく、脚部２２の押圧部２３が前記凹部１１の内側面に接触する位置関係にあることを特徴とする。
【０００８】
また、固定部材を、平面状基材３１、その下面から下方に末広がり状に設けた２本の脚部３２、両脚部３２の先端を結び上方に湾曲する連結部３３、及び前記脚部３２下部の外側に外側に膨出する形状に設けた押圧部３４を有する断面形状のものとし、この固定部材３０と前記フィルム支持部１３が、固定部材３０の脚部３２下部に設けた２つの押圧部３４間距離を、骨材のフィルム支持部１３に設けた凹部１１の最狭部距離よりも大きく、脚部３２下部の押圧部３４が前記凹部１１の内側面に接触する位置関係にあるようにしたものでもよい。
【０００９】
【実施の態様】
本発明者等は、構造が簡素で、各構成部材をコスト安で製造でき、しかもフィルムの張設作業が行い易く、さらにフィルムを強固することができる固定装置について検討した。
その結果、従来、骨材に別途取り付けていたフィルム支持機構を、骨材そのものにもたせることにより、構成部品数を削減した。さらに、骨材に設けたフィルム支持機構を、凹部と、それに嵌合して先端部近傍で凹部内面と接触する押し込み部材とで構成することにより、フィルムの固定作業が容易に行え、しかもフィルムの保持・固定力の強い固定構造を見出したものである。
【００１０】
図５，６を用いて本発明フィルム固定装置の具体的態様について説明する。
フィルム支持部を形作るために、骨材１０の上面に凹部１１を設ける。この凹部は、深い位置ほど幅が広がった断面形状とする。フィルムを固定する際、上記凹部にフィルムを押し込む態様を取るので、フィルムへの疵付きを防止するために、上記凹部と骨材の上面との境には湾曲部１２を形成して両者を滑らかに接続して連続面を形成するように形作る必要がある。
このようなフィルム支持部をもつ骨材は、所定幅に裁断された金属帯を多段のロール成形を行った後、切断することにより成形することができる。また、骨材としてアルミニウム合金材を用いる場合には、押出成形法で製造することもできる。多段の曲げ加工や押出成形により、フィルムが接触する骨材の上面に切断端面や突出部がないフィルム支持部が形成できるので、フィルムに疵をつけることはない。
【００１１】
フィルムを固定するため、上記骨材に設けたフィルム支持部の凹部１１に固定部材２０を押し込む態様を取る。
そのために、固定部材２０は、平面状基材２１と、その下面に設けた２本の脚部２２と、この脚部２２下部に外側に膨出する形状の押圧部２３を有する断面形状とした。
そして、フィルム支持部１３との大きさの関係を、固定部材２０の脚部２２下部に設けた２つの押圧部２３間距離を、骨材のフィルム支持部１４に設けた凹部１１の最狭部距離よりも大きく、脚部２２の押圧部２３が前記凹部１１の内側面に接触するような関係にした。
このような断面形状の固定部材２０は、硬質ゴムやプラスチック等を押出成形することにより製造することができる。
【００１２】
次に、この固定装置を使用して温室にフィルムを張り付ける態様を説明する。フィルム支持部１３が形作られた骨材１０で温室の骨格を構築する。そしてフィルム張設箇所に、所定サイズに裁断されたフィルムを載置した後、固定部材２０の脚部２２を骨材１０の凹部１１に、脚部下部の押圧部２３を内側に寄せるように押し込む。前記したように、フィルム支持部１３の凹部１０は底の方が広くなっているので、凹部１１に押し込まれた固定部材脚部下部の押圧部は、弾性復元して凹部１１の内壁に当接する形態となる。このためフィルムを強固に保持・固定することになる。
【００１３】
この押し込みは、いわゆるワンタッチで行うことができる。ワンタッチの押し込み作業でフィルムを強固に保持・固定することができるので、作業効率は極めて良い。
なお、フィルム支持部の凹部深さ及び固定部材の脚部長さを調整することにより、フィルムの緊張力を調整することができる。
また、図５，６では、骨材にフィルム支持部を２つ設け、それぞれに固定部材を押し込んでいるが、１つのみでも十分に保持・固定機能を発揮することは言うまでもない。
【００１４】
固定部材の他の態様を図７に示す。
この固定部材３０も、骨材に設けたフィルム支持部の凹部１１に押し込むものである。
固定部材３０は、平面状基材３１と、その下面から下方に末広がり状に設けた２本の脚部３２と、脚部先端を結び上方に湾曲する連結部３３とからなる形状とするとともに、前記脚部３２下部の外側面に外側に膨出する形状の押圧部３４を有する断面形状とした。
そして、フィルム支持部１３との大きさの関係を、固定部材３０の脚部３２下部に設けた２つの押圧部３４間距離を、骨材のフィルム支持部１４に設けた凹部１１の最狭部距離よりも大きく、脚部３２下部の押圧部３４が前記凹部１１の内側面に接触するような関係にした。
このような断面形状の固定部材３０も、硬質ゴムやプラスチック等を押出成形により製造することができる。
【００１５】
この固定部材３０を、骨材に設けたフィルム支持部の凹部１１に押し込む態様も前記と同様である。両脚部３２下部に設けた押圧部３４を内側に寄せるように押し込む。凹部１１に押し込まれた固定部材３０脚部下部の押圧部３４は、全体の弾性復元により、凹部１１の内壁に当接する形態となる。そして、フィルムを強固に保持・固定することになる。前記の態様と同様である。
【００１６】
上記では、骨材の上面に断面末広がり状凹部を形成してフィルム支持部を構成する態様を説明したが、骨材の上面に凸状に突出した形状のフィルム支持部を形成し、その凸状部に固定部材を被せるような態様もある。
この態様では、凸状部の先端に幅広断面部を形成しておく必要がある。この凸状部の幅広断面部に、フィルムを介して断面末広がり状凹部を有する固定部材を被着することで、固定部材の弾性復元力を利用して両者間にフィルムを強固に保持・固定することになる。
【００１７】
【発明の効果】
以上に説明したように、本発明においては、フィルム支持機構を骨材そのものに形成したので、構成部品数を削減できる。支持部材の取り付け作業を必要とせず、また固定部材の取り付けも、いわゆるワンタッチで行うことができるので作業効率が極めてよい。さらに、フィルム支持部の凹部深さ及び固定部材の脚部長さの調整により、フィルムの緊張力を調整することができるため、皺を生成させることなくフィルムを張設することができる。
【図面の簡単な説明】
【図１】従来のフィルム固定方法を説明する図
【図２】従来のフィルム固定構造の断面図
【図３】従来のフィルム固定方法の他の例を説明する図
【図４】従来のフィルム固定構造の他の断面図
【図５】本発明のフィルム固定装置のフィルム支持部構造を説明する断面図
【図６】本発明のフィルム固定装置の固定部材構造を説明する断面図
【図７】本発明の他の固定部材構造を説明する断面図
【符号の説明】
１０：骨材    １１：凹部    １２：湾曲部    １３：フィルム支持部
２０：固定部材    ２１：平面状基材    ２２：脚部    ２３：押圧部
３０：固定部材    ３１：平面状基材    ３２：脚部    ３３：連結部
３４：押圧部    Ｆ：フィルム
【図１】
2004267172.tif 000003
【図２】
2004267172.tif 000004
【図３】
2004267172.tif 000005
【図４】
2004267172.tif 000006
【図５】
2004267172.tif 000007
【図６】
2004267172.tif 000008
【図７】
2004267172.tif 000009